(57)【要約】【課題】造影剤の注入開始からＸ線の照射開始までの期間に、Ｘ線検出器が照射不可能状態に遷移することによる造影剤の無効注入を防ぎ、また、Ｘ線撮影の再実施等の負担を軽減する。【解決手段】造影剤を注入するインジェクション装置１０２と、Ｘ線を照射するＸ線発生装置１００と、Ｘ線発生装置１００により照射されたＸ線を検出して撮影画像を取得するＸ線検出器１０３とを備え、Ｘ線撮影制御装置１０４では、インジェクション装置１０２によるインジェクション開始を検知すると、Ｘ線検出器１０３を照射可能状態から照射不可能状態に遷移させるユーザ操作を禁止したり、Ｘ線検出器１０３でオートスリープが行われないようにしたりする。【選択図】図１
2014168620.tif 000002
【特許請求の範囲】
【請求項１】
造影剤を注入するインジェクション装置と、
Ｘ線を照射するＸ線発生装置と、
前記Ｘ線発生装置により照射されたＸ線を検出して撮影画像を取得するＸ線検出器と、
前記インジェクション装置によるインジェクション開始を検知するインジェクション開始検知手段と、
前記インジェクション開始検知手段によりインジェクション開始を検知したことに応じて、前記Ｘ線検出器が照射不可能状態に遷移しないように制御する制御手段とを備えたことを特徴とするＸ線撮影システム。
【請求項２】
前記制御手段は、前記インジェクション開始検知手段によりインジェクション開始を検知すると、前記Ｘ線検出器を照射可能状態から照射不可能状態に遷移させるユーザ操作を禁止することを特徴とする請求項１に記載のＸ線撮影システム。
【請求項３】
前記制御手段は、前記インジェクション開始検知手段によりインジェクション開始を検知すると、前記Ｘ線検出器が照射可能状態から照射不可能状態に遷移する動作を禁止することを特徴とする請求項１又は２に記載のＸ線撮影システム。
【請求項４】
前記制御手段は、前記インジェクション開始検知手段によりインジェクション開始を検知すると、前記Ｘ線検出器を照射状態に遷移させることを特徴とする請求項１に記載のＸ線撮影システム。
【請求項５】
前記Ｘ線検出器から送られてくる撮影画像を取得する撮影画像取得手段と、
前記Ｘ線発生装置によるＸ線の照射開始を検知する照射開始検知手段とを備え、
前記撮影画像取得手段は、前記インジェクション開始検知手段によりインジェクション開始を検知してから、前記照射開始検知手段によりＸ線の照射開始を検知するまでの期間は、前記Ｘ線検出器から送られてくる撮影画像を破棄することを特徴とする請求項４に記載のＸ線撮影システム。
【請求項６】
前記照射開始検知手段は、前記インジェクション開始検知手段によりインジェクション開始を検知した後、前記Ｘ線検出器から送られてくる撮影画像が所定の条件を満たした場合に、Ｘ線の照射開始を検知したものとすることを特徴とする請求項５に記載のＸ線撮影システム。
【請求項７】
前記撮影画像取得手段は、前記照射開始検知手段によりＸ線の照射開始を検知した後に、同一照射内で前記所定の条件を満たしていない撮影画像が前記Ｘ線検出器から送られてきたときに、その撮影画像は破棄しないことを特徴とする請求項６に記載のＸ線撮影システム。
【請求項８】
前記Ｘ線検出器から送られてくる撮影画像を取得する撮影画像取得手段と、
前記Ｘ線発生装置によるＸ線の照射開始を検知する照射開始検知手段と、
前記インジェクション開始検知手段によりインジェクション開始を検知してから、前記照射開始検知手段によりＸ線の照射開始を検知するまでの期間は、前記Ｘ線検出器が撮影画像を取得しない、又は撮影画像を送らないようにするＸ線検出器制御手段とを備えたことを特徴とする請求項４に記載のＸ線撮影システム。
【請求項９】
Ｘ線撮影のキャンセル操作が入力された場合、前記インジェクション装置によるインジェクションを停止するようにインジェクション停止通知を実施するインジェクション停止通知手段を備えたことを特徴とする請求項１乃至８のいずれか１項に記載のＸ線撮影システム。
【請求項１０】
造影剤を注入するインジェクション装置と、
Ｘ線を照射するＸ線発生装置と、
前記Ｘ線発生装置により照射されたＸ線を検出して撮影画像を取得するＸ線検出器と、
前記インジェクション装置によるインジェクション開始を検知するインジェクション開始検知手段と、
前記Ｘ線検出器の照射可能状態の経過時間を計測する時間計測手段と、
前記時間計測手段により計測する時間が閾値以上になった場合、前記Ｘ線検出器を照射可能状態から照射不可能状態に遷移させるＸ線検出器制御手段と、
前記インジェクション開始検知手段によりインジェクション開始を検知したことに応じて、前記時間計測手段による計測をリセットするとともに計測を停止させることにより、前記Ｘ線検出器が照射不可能状態に遷移しないように制御する制御手段とを備えたことを特徴とするＸ線撮影システム。
【請求項１１】
造影剤を注入するインジェクション装置と、
Ｘ線を照射するＸ線発生装置と、
前記Ｘ線発生装置により照射されたＸ線を検出して撮影画像を取得するＸ線検出器とを備えたＸ線撮影システムのＸ線撮影制御装置であって、
前記インジェクション装置によるインジェクション開始を検知するインジェクション開始検知手段と、
前記インジェクション開始検知手段によりインジェクション開始を検知したことに応じて、前記Ｘ線検出器が照射不可能状態に遷移しないように制御する制御手段とを備えたことを特徴とするＸ線撮影制御装置。
【請求項１２】
造影剤を注入するインジェクション装置と、
Ｘ線を照射するＸ線発生装置と、
前記Ｘ線発生装置により照射されたＸ線を検出して撮影画像を取得するＸ線検出器とを備えたＸ線撮影システムにおけるＸ線撮影制御方法であって、
前記インジェクション装置によるインジェクション開始を検知するインジェクション開始検知ステップと、
前記インジェクション開始検知ステップによりインジェクション開始を検知したことに応じて、前記Ｘ線検出器が照射不可能状態に遷移しないように制御する制御ステップとを有することを特徴とするＸ線撮影制御方法。
【請求項１３】
造影剤を注入するインジェクション装置と、
Ｘ線を照射するＸ線発生装置と、
前記Ｘ線発生装置により照射されたＸ線を検出して撮影画像を取得するＸ線検出器とを備えたＸ線撮影システムにおけるＸ線撮影を制御するためのプログラムであって、
前記インジェクション装置によるインジェクション開始を検知する処理と、
前記インジェクション装置によるインジェクション開始を検知したことに応じて、前記Ｘ線検出器が照射不可能状態に遷移しないように制御する処理とをコンピュータに実行させるためのプログラム。
【発明の詳細な説明】
【技術分野】
【０００１】
本発明は、被検体にＸ線を照射し、被検体を透過したＸ線信号を検出して撮影画像を取得するＸ線撮影システム、Ｘ線撮影制御装置、方法及びプログラムに関する。
【背景技術】
【０００２】
従来のＸ線撮影システムとしては、例えば次のようなものが知られている。被検体にＸ線を照射するＸ線照射装置が、天井吊り保持装置によって天井から吊って保持されている。天井吊り保持装置は、Ｘ線照射装置を上下左右に駆動移動できるように構成されている。また、被検体を挟んでＸ線照射装置に対向するように、被検体を透過したＸ線信号を検出するＸ線検出器を有するＸ線検出装置が設けられている。Ｘ線検出装置は、立位撮影台に上下方向に駆動移動可能に設けられている。
Ｘ線検出装置には、Ｘ線検出器で検出したＸ線信号を読み出して画像データを収集する画像データ収集装置と、画像データ収集装置で収集した画像データに各種の画像処理を施して所望の画像データを得る画像処理装置とが接続されている。
【０００３】
また、Ｘ線撮影システムでは、造影剤を自動注入するインジェクション装置が設けられている。インジェクション装置の種類によっては、Ｘ線照射装置と接続されて制御するものが存在する。
【０００４】
インジェクション装置の制御においては、以下のようなものが知られている。
Ｘ線ＣＴ装置において、基準箇所での測定ＣＴ値と該基準箇所での基準ＣＴ値との大小を比較することにより、インジェクション装置の造影剤注入の濃度及び動作制御を実施するようにしたものがある（特許文献１参照）。
また、インジェクション装置の注入状態を監視する撮像手段装置において、インジェクション装置の注入開始を取得し、取得後に所定の遅延時間経過後に撮像手段においてスキャンを開始するようにしたものがある（特許文献２参照）。
【０００５】
また、Ｘ線検出器の制御においては、以下のようなものが知られている。
Ｘ線像を光電変換阻止を並設した二次元センサを用いて撮影するＸ線画像撮影装置において、長時間撮影を可能にするためにセンサの状態をリフレッシュ動作、初期化動作、待機動作の組み合わせを制御するようにしたものがある（特許文献３参照）。
また、フラットパネル型Ｘ線検出器の性能を長期にわたり維持するために、フラットパネル型Ｘ線検出器のスイッチング素子ＴＦＴを強制的にオフ状態にし、及びこのオフ状態を解除するスリープモード設定・解除機能を具備するようにしたものがある（特許文献４参照）。
【先行技術文献】
【特許文献】
【０００６】
【特許文献１】特開平１−２０７０３８号公報
【特許文献２】特開２０００−３２５３４１号公報
【特許文献３】特開２００５−１１８３４７号公報
【特許文献４】特開２００３−４２９７６号公報
【発明の概要】
【発明が解決しようとする課題】
【０００７】
しかしながら、性能維持のために照射不可能状態に遷移するようにしたＸ線検出器を用いる場合、インジェクション装置による造影剤の注入開始からＸ線の照射開始までの期間に、Ｘ線検出器が照射不可能状態に遷移してしまう可能性があった。この場合、造影剤を注入したが、照射不可能状態にあるＸ線検出器で撮影画像を正しく取得することができず、造影剤の無効注入となってしまう。また、Ｘ線撮影の再実施等の煩わしさが発生してしまう。
【０００８】
本発明は上述のような課題に鑑みてなされたものであって、造影剤の注入開始からＸ線の照射開始までの期間に、Ｘ線検出器が照射不可能状態に遷移することによる造影剤の無効注入を防ぎ、また、Ｘ線撮影の再実施等の負担を軽減することを目的とする。
【課題を解決するための手段】
【０００９】
本発明のＸ線撮影システムは、造影剤を注入するインジェクション装置と、Ｘ線を照射するＸ線発生装置と、前記Ｘ線発生装置により照射されたＸ線を検出して撮影画像を取得するＸ線検出器と、前記インジェクション装置によるインジェクション開始を検知するインジェクション開始検知手段と、前記インジェクション開始検知手段によりインジェクション開始を検知したことに応じて、前記Ｘ線検出器が照射不可能状態に遷移しないように制御する制御手段とを備えたことを特徴とする。
【発明の効果】
【００１０】
本発明によれば、インジェクション装置によるインジェクション開始からＸ線発生装置によるＸ線の照射開始までの期間に、Ｘ線検出器が照射不可能状態に遷移しないようにして、造影剤の無効注入を防ぎ、また、Ｘ線撮影の再実施等の負担を軽減することができる。
【図面の簡単な説明】
【００１１】
【図１】第１の実施形態に係るＸ線撮影システムの構成を示す図である。
【図２】Ｘ線撮影制御装置の機能構成を示す図である。
【図３】第１の実施形態におけるＸ線撮影制御装置の処理動作を示すフローチャートである。
【図４】第２の実施形態における撮影画像取得を説明するための図である。
【図５】第２の実施形態におけるＸ線撮影制御装置の処理動作を示すフローチャートである。
【図６】一般的なＸ線撮影システムにおける動画撮影時のＸ線検出器の駆動制御を示すシーケンス図である。
【図７】第２の実施形態に係るＸ線撮影システムにおける動画撮影時のＸ線検出器の駆動制御を示すシーケンス図である。
【図８】第３の実施形態における撮影画像取得を説明するための図である。
【図９】第３の実施形態に係るＸ線撮影システムにおける動画撮影時のＸ線検出器の駆動制御を示すシーケンス図である。
【図１０】Ｘ線検出器の画像読み出しと転送を説明するための図である。
【図１１】インジェクション装置によるインジェクション開始が、Ｘ線発生装置によるＸ線の照射開始前に実行できないようにした場合を説明するための図である。
【発明を実施するための形態】
【００１２】
以下、添付図面を参照して、本発明の好適な実施形態について説明する。
（第１の実施形態）
図１は、第１の実施形態に係るＸ線撮影システムの構成を示す図である。Ｘ線撮影システムは、Ｘ線管１０１を用いてＸ線を照射するＸ線発生装置１００を備える。また、造影剤を自動注入（インジェクション）するインジェクション装置１０２を備える。また、照射スイッチ１１３を備える。また、Ｘ線発生装置１００により照射されたＸ線を検出して撮影画像を取得するＸ線検出器１０３を備える。また、ディスプレイ１０５が接続されたＸ線撮影制御装置１０４を備える。なお、図１に示す構成は一例であり、例えばＸ線検出器１０３とＸ線撮影制御装置１０４とが一体的に構成されているような形態でもかまわない。
【００１３】
Ｘ線撮影制御装置１０４は、インタフェース（Ｉ／Ｆ）１０６、ＣＰＵ１０７、ＲＡＭ１０８、インジェクション開始時制御プログラム１１０を格納するＨＤＤ１０９、入力部１１１、出力部１１２を備える。
【００１４】
Ｘ線発生装置１００は、照射スイッチ１１３が押下されると、Ｘ線管１０１を用いて被検体ＨにＸ線を照射する。Ｘ線管１０１より照射されて被検体Ｈを透過したＸ線信号は、フラットパネル型Ｘ線検出器（ＦＰＤ）であるＸ線検出器１０３により検出される。Ｘ線検出器１０３は、長時間の照射可能状態（Ｒｅａｄｙ状態）による性能劣化を防ぐために、照射可能状態から照射不可能状態に遷移する機能を保有する。照射不可能状態とは、Ｘ線を照射しても撮影画像が正しく取得できない状態である。Ｘ線検出器１０３により取得される撮影画像は、Ｉ／Ｆ１０６を介してＸ線撮影制御装置１０４に送られる。
【００１５】
インジェクション装置１０２は、照射スイッチ１１３が押下されると、Ｘ線撮影時に造影剤を自動注入する。Ｘ線撮影制御装置１０４では、ＨＤＤ１０９に格納されたインジェクション開始時制御プログラム１１０をＲＡＭ１０８に展開してＣＰＵ１０７が実行することで、Ｘ線の照射前にインジェクション装置１０２によるインジェクションを開始して、Ｘ線撮影を実施する。
【００１６】
図２は、Ｘ線撮影制御装置１０４の機能構成を示す図である。Ｘ線撮影制御装置１０４は、制御部２０１、記録部２０２、インジェクション開始取得部２０３、駆動時間計測部２０６として機能する。記録部２０２には、撮影画像２０４と、インジェクション開始時ＵＩ２０５とが記録される。
【００１７】
制御部２０１は、Ｘ線撮影の制御を実施して、Ｘ線撮影後に、Ｘ線検出器１０３から送られてくる撮影画像を記録部２０２に記録し、また、ディスプレイ１０５に表示する。制御部２０１は、入力部１１１より入力される指示に従って撮影フローを制御する。
【００１８】
また、制御部２０１は、入力部１１１より検査終了、検査保留等のＸ線検出器１０３を照射不可能状態に遷移させるユーザ操作があった場合、Ｘ線検出器１０３に照射可能状態から照射不可能状態に遷移するように指示をする。なお、入力部１１１によるユーザ操作は、ディスプレイ１０５に表示されるＧＵＩ（グラフィカル・ユーザ・インタフェース）により実現可能であるが、ユーザ操作の方式はこれに限らない。
【００１９】
駆動時間計測部２０６は、Ｘ線検出器１０３の照射可能状態の経過時間を計測する。そして、制御部２０１は、駆動時間計測部２０６により計測する時間が閾値以上になった場合、Ｘ線検出器１０３に照射可能状態から照射不可能状態に遷移するよう指示する（オートスリープ機能）。
【００２０】
インジェクション開始取得部２０３は、インジェクション装置１０２、又はインジェクション装置１０２と接続するＸ線発生装置１００からインジェクション開始信号を取得する。インジェクション開始取得部２０３が、インジェクション開始を検知するインジェクション開始検知手段として機能する。なお、インジェクション開始取得部２０３がインジェクション開始を検知する方式はこれに限らない。
【００２１】
インジェクション開始取得部２０３によりインジェクション開始信号を取得すると、Ｘ線検出器１０３を照射不可能状態に遷移させるユーザ操作ができないように、制御部２０１はディスプレイ１０５に表示されるＧＵＩの表示を制御することでユーザ操作を制限する。
【００２２】
また、制御部２０１は、Ｘ線検出器１０３が照射不可能状態に遷移する動作が発生しないように制御する。Ｘ線検出器１０３が照射不可能状態に遷移する動作として、例えばＸ線撮影制御装置１０４でのエラーダイアログ表示があり、エラーダイアログ表示を行わないようにする。また、Ｘ線検出器１０３が照射不可能状態に遷移する動作として、上述したオートスリープがあるので、Ｘ線検出器１０３でオートスリープが行われないようにする。例えば制御部２０１は、インジェクション開始取得部２０３によりインジェクション開始信号を取得すると、駆動時間計測部２０６による計測をリセットするとともに、駆動時間計測部２０６による計測を停止させる。
このように、インジェクション装置１０２によるインジェクション開始からＸ線発生装置１００によるＸ線の照射開始までの期間では、Ｘ線検出器１０３が照射不可能状態に遷移するユーザ操作及び動作を禁止する禁止制御を実施する。これにより、該期間でＸ線検出器１０３が照射不可能状態に遷移しないようにする。
【００２３】
また、入力部１１１よりＸ線撮影のキャンセル操作が入力された場合、制御部２０１は、インジェクション装置１０２、又はインジェクション装置１０２と接続するＸ線発生装置１００にインジェクションを停止するようにインジェクション停止通知を実施する。なお、入力部１１１によるキャンセル操作は、ディスプレイ１０５に表示されるＧＵＩにより実現可能であるが、キャンセル操作の方式はこれに限らない。
【００２４】
図３に、第１の実施形態におけるＸ線撮影制御装置１０４の処理動作を示す。
ステップＳ１０１で、インジェクション開始取得部２０３は、インジェクション装置１０２、又はインジェクション装置１０２と接続するＸ線発生装置１００から、インジェクション開始信号を取得する。
【００２５】
ステップＳ１０１においてインジェクション開始信号を取得したら、ステップＳ１０２で、制御部２０１は、Ｘ線検出器１０３が照射不可能状態に遷移するユーザ操作及び動作を禁止する禁止制御を実施する。
【００２６】
ステップＳ１０３で、制御部２０１は、Ｘ線撮影を実行する。すなわち、Ｘ線撮影制御装置１０４の制御下で、Ｘ線発生装置１００により被検体ＨにＸ線が照射され、被検体Ｈを透過したＸ線信号がＸ線検出器１０３によって検出される。Ｘ線検出器１０３により取得された撮影画像は、Ｉ／Ｆ１０６を介してＸ線撮影制御装置１０４に送られて、記録部２０２に記録され、ディスプレイ１０５に表示される。
【００２７】
ステップＳ１０４で、制御部２０１は、Ｘ線撮影が終了した際に、ステップＳ１０２において設定したユーザ操作及び動作の禁止を解除する。
【００２８】
（第２の実施形態）
次に、第２の実施形態について説明する。Ｘ線撮影システムの構成及びＸ線撮影制御装置１０４の機能構成は第１の実施形態と同様であり、以下では、第１の実施形態との相違を中心に説明する。
本実施形態では、インジェクション開始取得部２０３によりインジェクション開始信号を取得すると、制御部２０１は、Ｘ線検出器１０３をＸ線撮影中と同様の照射状態に遷移させるＸ線検出器駆動制御を実施する。Ｘ線検出器１０３を照射状態に遷移させることで、第１の実施形態で述べた照射可能状態が保障される。Ｘ線検出器１０３を照射状態に遷移させる方式として、Ｘ線撮影制御装置１０４から指示をしているが、他にＸ線発生装置１００から指示する方式等、これに限らない。
【００２９】
Ｘ線検出器１０３がＸ線撮影中と同様の照射状態に遷移しているので、Ｘ線検出器１０３により取得された撮影画像が、Ｉ／Ｆ１０６を介してＸ線撮影制御装置１０４に送られる。しかし、実際にはまだＸ線発生装置１００によりＸ線が照射されていないため、Ｘ線の照射開始までの撮影画像は不要データである。
そこで、制御部２０１は、図４に示すように、インジェクション装置１０２によるインジェクション開始からＸ線発生装置１００によるＸ線の照射開始までの期間に、Ｘ線検出器１０３から送られてくる撮影画像を破棄し、Ｘ線の照射開始後の撮影画像は取得する撮影画像取得制御を実施する。
【００３０】
Ｘ線撮影制御装置１０４においてＸ線の照射開始を検知する方式としては、例えばＸ線発生装置１００からＸ線の照射開始信号を取得するようにしてもよい。また、インジェクション開始からＸ線の照射開始までの時間が予め設定されている場合、その時間を管理するようにしてもよい。また、Ｘ線検出器１０３から送られてくる撮影画像の画素値が所定の条件を所定の条件を満たしたとき、例えば一定の閾値は越えたときにＸ線の照射開始を検知したと扱うようにしてもよい。なお、撮影画像の画素値が一定の閾値は越えた場合、その後同一照射内で画素値が閾値に満たない撮影画像が送られてきたときにも、その撮影画像は破棄しないようにするのが好ましい。
【００３１】
図５に、第２の実施形態におけるＸ線撮影制御装置１０４の処理動作を示す。
ステップＳ２０１で、インジェクション開始取得部２０３は、インジェクション装置１０２、又はインジェクション装置１０２と接続するＸ線発生装置１００から、インジェクション開始信号を取得する。
【００３２】
ステップＳ２０１においてインジェクション開始信号を取得したら、ステップＳ２０２で、制御部２０１は、Ｘ線検出器１０３をＸ線撮影中と同様の照射状態に遷移させるＸ線検出器駆動制御を実施する。
【００３３】
ステップＳ２０３以降で、制御部２０１は、撮影画像取得制御を実施する。すなわち、ステップＳ２０３で、制御部２０１は、Ｘ線発生装置１００によるＸ線の照射が開始されたか否かを検知する。Ｘ線発生装置１００によるＸ線の照射が開始されていなければ、ステップＳ２０４に進み、Ｘ線検出器１０３から送られてくる撮影画像を破棄する。それに対して、Ｘ線発生装置１００によるＸ線の照射が開始されていれば、ステップＳ２０５に進み、Ｘ線検出器１０３から送られてくる撮影画像を記録部２０２に記録し、ディスプレイ１０５に表示する。ステップＳ２０３〜Ｓ２０５の処理を、Ｘ線撮影が終了するまで繰り返す（ステップＳ２０６）。
【００３４】
図６、図７を参照して、第２の実施形態におけるＸ線検出器１０３の駆動シーケンスを説明する。
図６のシーケンス図は、一般的なＸ線撮影システムにおける動画撮影時のＸ線検出器の駆動制御である。なお、説明の便宜上、図１の符号を付して説明する。
Ｃ１００１は、照射スイッチ１１３のＯＮ／ＯＦＦを示し、照射スイッチ１１３が押下されたときに、照射スイッチ１１３からＸ線発生装置１００にスイッチ押下が通知される。
Ｃ１００２では、Ｃ１００１での通知に対し、Ｘ線発生装置１００からＸ線検出器１０３にＸ線照射開始のトリガーが通知され、Ｘ線検出器１０３は照射状態に遷移する。
Ｃ１００３では、照射状態のＸ線検出器１０３は設定されたタイミングに応じて、Ｘ線発生装置１００にＸ線照射要求を通知する。
Ｃ１００４は、Ｘ線照射のタイミングを示し、Ｘ線発生装置１００はＸ線照射要求が通知されている間Ｘ線を照射する。
Ｃ１００５は、照射されたＸ線をＸ線検出器１０３が読み取り、生成した撮影画像をＸ線撮影制御装置１０４に通知するタイミングを示し、Ｘ線照射の間に画像読み取りを実施し転送していることを示す。
【００３５】
これに対し、図７のシーケンス図は、第２の実施形態に係るＸ線撮影システムにおける動画撮影時のＸ線検出器の駆動制御である。なお、図６のシーケンス図と共通するものには同一の符号を付して説明する。
Ｃ１００１は、照射スイッチ１１３のＯＮ／ＯＦＦを示し、照射スイッチ１１３が押下されたときに、照射スイッチ１１３からＸ線発生装置１００にスイッチ押下が通知される。
それに伴い、Ｃ２００１では、Ｘ線発生装置１００からインジェクション装置１０２にインジェクション開始が通知される。
また、Ｃ２００２では、Ｘ線撮影制御装置１０４からＸ線検出器１０３に照射状態に遷移する通知がされる。
これにより、Ｃ１００３、Ｃ１００５に示すように、Ｘ線検出器１０３は照射状態の駆動を実施するが、Ｃ１００２のようにＸ線照射開始のトリガーが通知されていないため、Ｘ線発生装置１００ではＸ線を照射しない。そのため、Ｘ線検出器１０３で読み取りが実施されるが、読み取りされた撮影画像は不要データであり、その不要データをＸ線撮影制御装置１０４に通知する。その後、上述したように、Ｘ線撮影制御装置１０４では、インジェクション開始からＸ線の照射開始までの期間に、Ｘ線検出器１０３から送られてくる撮影画像を破棄する。そして、Ｃ１００２に示すように、インジェクション開始から設定されたタイミング後にＸ線照射を開始するためＸ線照射開始のトリガーが通知される。その後のＸ線検出器１０３の駆動シーケンスは図６で示したシーケンス図と同様である。
【００３６】
（第３の実施形態）
第２の実施形態では、Ｘ線撮影制御装置１０４で、インジェクション装置１０２によるインジェクション開始からＸ線発生装置１００によるＸ線の照射開始までの期間にＸ線検出器１０３から送られてくる撮影画像を破棄ようにした。
それに対して、第３の実施形態では、図８に示すように、インジェクション装置１０２によるインジェクション開始からＸ線発生装置１００によるＸ線の照射開始までの期間は、Ｘ線検出器１０３が撮影画像を取得しない、又は撮影画像を取得してもＸ線撮影制御装置１０４に送らないようにしている。
【００３７】
図９のシーケンス図は、第３の実施形態に係るＸ線撮影システムにおける動画撮影時のＸ線検出器の駆動制御である。なお、図６、図７のシーケンス図と共通するものには同一の符号を付して説明する。
Ｃ１００１は、照射スイッチ１１３のＯＮ／ＯＦＦを示し、照射スイッチ１１３が押下されたときに、照射スイッチ１１３からＸ線発生装置１００にスイッチ押下が通知される。
それに伴い、Ｃ２００１では、Ｘ線発生装置１００からインジェクション装置１０２にインジェクション開始が通知される。
また、Ｃ２００２では、Ｘ線撮影制御装置１０４からＸ線検出器１０３に照射状態に遷移する通知がされる。
これにより、Ｃ１００３、Ｃ１００５に示すように、Ｘ線検出器１０３は照射状態の駆動を実施するが、Ｃ１００２のようにＸ線照射開始のトリガーが通知されていないため、Ｘ線発生装置１００ではＸ線を照射しない。そのため、Ｘ線検出器１０３で読み取りが実施されるが、読み取りされた撮影画像は不要データであり、その不要データをＸ線撮影制御装置１０４に通知しないよう制御する。
このＸ線検出器１０３の画像読み出しと転送について図１０を用いて説明する。図１０は、Ｘ線検出器１０３、読出回路５１、画像転送部５２を示す概念図である。
まず、一般的にＸ線検出器１０３に被検体Ｈを透過したＸ線が入射すると、Ｘ線は図示しない蛍光版によって光に変換され、二次元状に配列された光電変換素子１０３ａにおいてＸ線強度に応じた電荷が発生する。この電荷は光電変換素子１０３ａの蓄積部に蓄積されて、非検体ＨのＸ線画像が二次元状の電荷分布に変換される。
続いて、最上列の各光電変換素子１０３ａに備えられた転送部１０３ｂのＴＦＴ（thin-film transistor）に転送パルスｈが送られ、転送部１０３ｂにスイッチ信号が入力される。このとき、光電変換素子１０３ａに蓄積された電荷は、転送部１０３ｂを通して読出回路５１のマルチプレクサ５１ａのスイッチに転送される。そして、スイッチが１個ずつ５１ｂ、５１ｃ、・・・・の順に接続することにより、最終的に信号出力端子に順次転送され、最上列１ライン分の画像信号の読み出しが完了する。
読みだされた画像信号は、図示しない増幅器やＡ／Ｄ変換器等を介してデジタル画像データに変換される。このようにして、最上列から最下列に順次に転送パルスｈを送り、これに同期してマルチプレクサ５１ａのスイッチが左から右に順次に接続する。これにより、Ｘ線検出器１０３の全面の画像信号の読み出しが行われ、画像転送部５２よりＸ線撮影制御装置１０４に転送される。動画駆動時は上記の読出と転送を繰り返すことで実施している。
これに対し、第３の実施形態では、画像転送部５２に通知された画像信号をＸ線撮影制御装置１０４に転送しないように駆動する。また、Ｘ線検出器１０３からＸ線撮影制御装置１０４に画像転送しない方法として、光電変換素子１０３ａに蓄積された電荷を転送部１０３ｂにて電荷を転送しない方法もあるが、これに限らない。
図９に説明を戻して、Ｃ１００２に示すように、インジェクション開始から設定されたタイミング後にＸ線照射を開始するためＸ線照射開始のトリガーが通知される。その後のＸ線検出器１０３の駆動シーケンスは図６で示したシーケンス図と同様である。
【００３８】
（その他の実施形態）
なお、上述した実施形態以外にも、造影剤の無効注入を防ぎ、また、Ｘ線撮影の再実施等の負担を軽減する目的を達成する場合、例えば図１１に示すように、インジェクション装置１０２によるインジェクション開始が、Ｘ線発生装置１００によるＸ線の照射開始前に実行できないように制限することも有効である。
【００３９】
なお、上述した実施形態は、本発明の実施に有利な具体例を示したに過ぎず、本発明は実施形態に限定されるものではなく、また、実施形態の中で説明されている特徴の組み合わせの全てが本発明の課題解決手段として必須のものであるとは限らない。
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００４０】
１００…Ｘ線発生装置、１０１…Ｘ線管、１０２…インジェクション装置、１０３…Ｘ線検出器、１０４…Ｘ線撮影制御装置、１０５…ディスプレイ、１０６…インタフェース、１０７…ＣＰＵ、１０８…ＲＡＭ、１０９…ＨＤＤ、１１１…入力部、１１２…出力部、２０１…制御部、２０２…記録部、２０３…インジェクション開始取得部、２０６・・・駆動時間計測部
【図１】
2014168620.tif 000003
【図２】
2014168620.tif 000004
【図３】
2014168620.tif 000005
【図４】
2014168620.tif 000006
【図５】
2014168620.tif 000007
【図６】
2014168620.tif 000008
【図７】
2014168620.tif 000009
【図８】
2014168620.tif 000010
【図９】
2014168620.tif 000011
【図１０】
2014168620.tif 000012
【図１１】
2014168620.tif 000013